(57)【特許請求の範囲】
【請求項１】
上端部を連結した一対の基板（１０）のそれぞれ下端部外方に、ケース本体（３０）と蓋体（４０）とを備え、且つ、薬剤を収容した通気孔（ｈ）付きの薬剤ケース（２０）を一体に設け、左右に並列した靴（５０）の各開口（５１）より各基板（１０）をそれぞれ挿入して、靴（５０）の右足用靴部（５０ａ）及び左足用靴部（５０ｂ）の隣接する一対の内側壁部を各基板（１０）で挟持するとともに、右足用靴部（５０ａ）内及び左足用靴部（５０ｂ）内にそれぞれ薬剤ケース（２０）を位置させて装着させた靴用クリップにおいて、
各薬剤ケース（２０）を基板（１０）の下端から外方斜め上方へ突出させ、基板(１０)と各薬剤ケース(２０)とを、これら基板及び薬剤ケースの下端側が尖った形状となるように角度を持って形成したことを特徴とする、靴用クリップ。
【請求項２】
薬剤ケース（２０）は、前後方向を向く第１周壁（３１）の一端を開口し、他端を第１閉塞壁（３２）で閉塞した縦長の箱型で、各基板（１０）下端部外面よりそれぞれ外方斜め上方に起立して一体に形成されたケース本体（３０）と、ケース本体（３０）にヒンジ（４１）を介して一体に連設するとともに、ケース本体（３０）の一端開口を開閉可能に閉塞し、係脱可能な係止手段によりケース本体（３０）に係止された蓋体（４０）とからなり、ケース本体（３０）の第１閉塞壁（３２）及びケース本体（３０）の一端開口を閉塞する蓋体（４０）の第２閉塞壁（４３）にそれぞれ通気孔（ｈ）を穿設した請求項１に記載の靴用クリップ。
【請求項３】
前記係止手段を、ケース本体の一端開口縁のヒンジ（４１）部分を除いて突設した係止壁（３５）と、係止壁（３５）外周に係脱可能に嵌合する蓋体（４０）の第２周壁（４２）とで構成した請求項２に記載の靴用クリップ。
【請求項４】
ケース本体（３０）内に区画壁（３６）で区画された少なくとも３つの収容室（Ｒ）を画成し、各収容室（Ｒ）に収容する薬剤を除湿剤、除菌剤、消臭剤のうちから選択的に収容可能に構成した請求項１乃至請求項３のいずれか１項に記載の靴用クリップ。
【請求項５】
装着する靴（５０）がブーツであり、各基板（１０）はブーツの縦長部分に挿入する全体として側面視垂直線状に形成されている請求項１乃至請求項４のいずれか１項に記載の靴用クリップ。
【発明の詳細な説明】
【技術分野】
【０００１】
本発明は靴用クリップに関する。
【背景技術】
【０００２】
靴の保管時等に、左右を揃えて整理し易い様な目的で、或いはブーツの様に形状維持が比較的難しい場合に形状維持をも兼ねての靴用クリップが提案されている。（例えば、特許文献１を参照）
【０００３】
上記特許文献１に記載されたクリップは、出掛け先にてブーツを脱いだ際、だらりと広がり見た目にもよくない等の不都合を解消するために提案され、二股に分かれた本体足部のそれぞれの内側に、自在に長さ調節のできる伸縮棒を取り付け、足部の上部中央に持ち手を設け、足部で左右のブーツの内側壁相互を挟み、伸縮棒を相応に延ばして安定させる如く構成している。
【０００４】
また、ブーツの保形性を得るため、加えてブーツ内の脱臭効果を図るためのブーツスタンドも提案されている。（例えば、特許文献２を参照）
【０００５】
特許文献２に記載されたブーツスタンドは、板状部材の上下に亘って形成されるとともに、板状部材の幅方向に列状に配設された複数の折曲部を介して板状部材を多角筒形状に折り曲げてブーツの筒脚部内に挿入される本体部と、板状部材に形成され本体部の多角筒形状を保持する本体保持部と、板状部材の下端部に形成され、本体部をブーツの筒脚部内に挿入した際にブーツのつま先方向に開口する通気用切欠部とを備えている。また、袋状の脱臭剤或いは芳香剤を内部底部に一緒に挿入している。
【先行技術文献】
【特許文献】
【０００６】
【特許文献１】特開２０１０−２５３２２８号公報
【特許文献２】実用新案登録第３１５５５５６号公報
【発明の概要】
【発明が解決しようとする課題】
【０００７】
本発明は、ブーツを含む靴の整理が行い易く、一対物として常時揃えておくことができるとともに、ブーツ等の型崩れのし易い部分を備えたものにあってはその保形性も備え、しかも、消臭効果、除菌効果、除湿効果等の単数及び複数を同時に発揮でき、また、その使用操作が極めて簡単であり、その構造も極めて簡単な靴用クリップを提案する。
【課題を解決するための手段】
【０００８】
第１の手段として、以下の通り構成した。即ち、上端部を連結した一対の基板１０のそれぞれ下端部外方に、ケース本体３０と蓋体４０とを備え、且つ、薬剤を収容した通気孔ｈ付きの薬剤ケース２０を一体に設け、左右に並列した靴５０の各開口５１より各基板１０をそれぞれ挿入して、靴５０の右足用靴部５０ａ及び左足用靴部５０ｂの隣接する一対の内側壁部を各基板１０で挟持するとともに、右足用靴部５０ａ内及び左足用靴部５０ｂ内にそれぞれ薬剤ケース２０を位置させて装着させた靴用クリップにおいて、
各薬剤ケース２０を基板１０の下端から外方斜め上方へ突出させ、基板１０と各薬剤ケース２０とを、これら基板及び薬剤ケースの下端側が尖った形状となるように角度を持って形成したことを特徴とする、靴用クリップ。
【０００９】
第２の手段として、以下の通り構成した。即ち、前記第１の手段に於いて、薬剤ケース２０は、前後方向を向く第１周壁３１の一端を開口し、他端を第１閉塞壁３２で閉塞した縦長の箱型で、各基板１０下端部外面よりそれぞれ外方斜め上方に起立して一体に形成されたケース本体３０と、ケース本体３０にヒンジ４１を介して一体に連設するとともに、ケース本体３０の一端開口を開閉可能に閉塞し、係脱可能な係止手段によりケース本体３０に係止された蓋体４０とからなり、ケース本体３０の第１閉塞壁３２及びケース本体３０の一端開口を閉塞する蓋体４０の第２閉塞壁４３にそれぞれ通気孔ｈを穿設した。
【００１０】
第３の手段として、以下の通り構成した。即ち、前記第２の手段に於いて、前記係止手段を、ケース本体の一端開口縁のヒンジ４１部分を除いて突設した係止壁３５と、係止壁３５外周に係脱可能に嵌合する蓋体４０の第２周壁４２とで構成した。
【００１１】
第４の手段として、以下の通り構成した。即ち、前記第１の手段又は第３手段のいずれかの手段に於いて、ケース本体３０内に区画壁３６で区画された少なくとも３つの収容室Ｒを画成し、各収容室Ｒに収容する薬剤を除湿剤、除菌剤、消臭剤のうちから選択的に収容可能に構成した。
【００１２】
第５の手段として、以下の通り構成した。即ち、前記第１の手段乃至第４の手段のいずれかの手段に於いて、装着する靴５０がブーツであり、各基板１０はブーツの縦長部分に挿入する全体として側面視垂直線状に形成されている。
【発明の効果】
【００１３】
本発明によれば、靴の整理が行い易く、一対物として常時揃えておくことができるとともに、消臭効果、除菌効果、除湿効果等の薬剤効果等を発揮でき、特に通気性の悪いブーツに好適である。従って、靴の整理と靴内のケアとを同時に行なえるという利点がある。また、クリップ本体Ａはワンパーツで構成されているため、小パーツ化が図れる。
【００１４】
薬剤ケース２０は、前後方向を向く第１周壁３１の一端を開口し、他端を第１閉塞壁３２で閉塞した縦長の箱型で、各基板１０下端部外面よりそれぞれ外方斜め上方に起立して一体に形成されたケース本体３０と、ケース本体３０にヒンジ４１を介して一体に連設するとともに、ケース本体３０の一端開口を開閉可能に閉塞し、係脱可能な係止手段によりケース本体３０に係止された蓋体４０とからなり、ケース本体３０の第１閉塞壁３２及びケース本体３０の一端開口を閉塞する蓋体４０の第２閉塞壁４３にそれぞれ通気孔ｈを穿設した場合には、薬剤ケース２０内への薬剤の収容が容易に行える。また、各基板１０と各薬剤ケース２０とが角度を持って形成されているため、下端部が尖った状態となり、靴５０、特に長いブーツへの装着がより容易となる。
【００１５】
前記係止手段を、ケース本体の一端開口縁のヒンジ４１部分を除いて突設した係止壁３５と、係止壁３５外周に係脱可能に嵌合する蓋体４０の第２周壁４２とで構成した場合には、係止壁３５により蓋体４０をケース本体３０に対して常時所定位置に嵌合させることができ、しかも、その係脱が極めて容易であるとともに、一旦係止した蓋体４０は安定してケース本体３０に固定される。
【００１６】
ケース本体３０内に区画壁３６で区画された少なくとも３つの収容室Ｒを画成し、各収容室Ｒに収容する薬剤を除湿剤、除菌剤、消臭剤のうちから選択的に収容可能に構成した場合には、一方の薬剤ケース２０に収容する薬剤として、除湿効果、除菌効果、消臭効果という３つの作用を一遍に発揮することができ、また、必要に応じて、必要な一つ或いは複数の薬効を選択することもでき、変化に富んだ対応が可能である。
【００１７】
装着する靴５０がブーツであり、各基板１０はブーツの縦長部分に挿入する全体として側面視垂直線状に形成されている場合には、同様に靴の整理が行い易く、一対物として常時揃えておくことができるとともに、しかも型崩れのし易い部分を変形なく維持しておく保形効果を備えている。
【図面の簡単な説明】
【００１８】
【図１】靴用クリップの斜視図である。（第１実施例）
【図２】靴用クリップの側面図である。（第１実施例）
【図３】靴用クリップの使用を説明する説明図である。（第１実施例）
【図４】靴用クリップの斜視図である。（第２実施例）
【発明を実施するための形態】
【００１９】
以下、本発明の形態を図面を参照して説明する。
【００２０】
図１は靴用クリップ１の第１実施例を示す。尚、以下の説明に於いて、便宜的に図２に於ける上方を上部、下方を下部とし、左方を前部、右方を後部として説明し、以下上下前後はそれに従う。
【００２１】
クリップ本体Ａは合成樹脂製で、上端部を連結し、間隔をあけて縦に並設した一対の基板１０を備え、各基板１０のそれぞれ下端部外方に一対の薬剤ケース２０を一体に設けている。
【００２２】
図示例では、上端部を上方に凸の円弧板状をなす正面視形状の頂壁１１で連結した一対の平行する右基板１０ａ及び左基板１０ｂを備えている。また、頂壁１１から間隔をあけた下方に上方に凸の円弧板状をなす横壁１２を架設している。
【００２３】
各薬剤ケース２０は薬剤を収容して揮散させるもので、ケース本体３０と蓋体４０とを備え、また、薬剤を揮散させるための通気孔ｈを備えている。ケース本体３０は、前後方向を向く第１周壁３１の一端を開口し、他端を第１閉塞壁３２で閉塞した縦長の箱型で、内部に薬剤を収容する収容室Ｒを画成している。また、各基板１０下端部外面よりそれぞれ外方斜め上方に起立して一体に形成されている。蓋体４０は、ケース本体３０にヒンジ４１を介して一体に連設するとともに、ケース本体３０の一端開口を開閉可能に閉塞し、係脱可能な係止手段によりケース本体３０に係止される。
【００２４】
図示例に於いて、薬剤ケース２０は右基板１０ａに一体に連設した右薬剤ケース２０ａと、左基板１０ｂに一体に連設した左薬剤ケース２０ｂとを備えている。左右の薬剤ケース２０は左右対称に形成されて対称である以外実質的に同様構成となっている。
【００２５】
図示例に於ける右薬剤ケース２０ａは、前後方向を向く縦長楕円筒状の第１周壁３１の前端を開口し、後端を第１閉塞壁３２で閉塞した縦長な箱型で、右基板１０ａ下端部外面に第１周壁３１の内側下部を一体に連結し、外方斜め上方に起立して一体に形成されている。第１周壁３１の開口縁には、蓋体４０を開閉可能に連結するヒンジ４１を形成する第１ヒンジ形成片３４を一対突設しており、また、ヒンジ４１部分を除いた開口縁部分、即ち、ケース本体３０の前面開口縁の上縁、左側縁、下縁に亘って、蓋体４０の係止手段を構成する係止壁３５を突設している。
【００２６】
蓋体４０は、前後方向を向く縦長楕円筒状の第２周壁４２の前端縁より第２閉塞壁４３を延設している。また、第２周壁４２の後端縁より突設した一対の第２ヒンジ形成片４４を、ケース本体３０の第１ヒンジ形成片３４と回動可能に一体に連結してそれぞれ一対のヒンジ４１を構成している。そして、ケース本体３０に対して開閉可能に設けている。また、第１周壁３１の基板１０側外面には指掛け用の突部４５を突設している。そして、第２周壁４２を係止壁３５の外周に離脱可能に嵌合させてケース本体３０の前端開口を閉塞している。従って、この係止壁３５と第２周壁４２とで蓋体４０をケース本体に係止する係止手段を構成している。尚、係止手段としては本例のものに限らず、例えば、ケース本体３０に突設した係止突起と、該係止突起に係合する蓋体４０に設けたフックとで構成してもよい。
【００２７】
左薬剤ケース２０ｂは、上記した如く右薬剤ケース２０ａと左右対称に形成されているため、同符号を付して説明を省略する。
【００２８】
左右の薬剤ケース２０は、ケース本体３０の第１閉塞壁３２及び蓋体４０の第２閉塞壁４３にそれぞれ通気孔ｈを穿設している。図示例の場合には、円形透孔形態の通気孔ｈを多数穿設しているが、通気孔ｈの形状、数等は適宜選択して採用できる。また、通気孔ｈは第１閉塞壁３２と第２閉塞壁４３とのみに設ける場合に限らず、第１周壁３１、第２周壁４２にも設けることも可能である。
【００２９】
収容室Ｒ内に収容する薬剤として、除湿剤、除菌剤、消臭剤等を使用できる。尚、収容する薬剤はこれに限らない。収容された薬剤は、外気と接触させるための通気孔ｈを介して外部に揮散される。使用される薬剤として、例えば、固形のもの、或いは、フィルム等で揮散が可能な状態に包装したもの等を使用できるがこれに限らない。
【００３０】
この様に構成された靴用クリップ１を靴５０に装着した状態を説明する。図３に於いて靴５０はブーツであり、靴用クリップ１はブーツ用のもので、並列した左右一対の右足用靴部５０ａ及び左足用靴部５０ｂの各開口５１より薬剤ケース２０及び基板１０をそれぞれ挿入し、右足用靴部５０ａ及び左足用靴部５０ｂの隣接する一対の内側壁部を左基板１０ｂと右基板１０ａとで挟持する。この際、左右の薬剤ケース２０にそれぞれ収容された薬剤は、それぞれ右足用靴部５０ａ及び左足用靴部５０ｂ内に収納されている。尚、本例に於いて、靴クリップ１は正面視で左右を決めているため実際のブーツの左右と反対になっている。当然後ろ向きに装着することもでき、その場合には左右の名称が同じとなる。
【００３１】
図４は第２実施例を示し、本例は図１の例に於いて、ケース本体３０内に区画壁３６で区画された少なくとも３つの収容室Ｒを画成し、各収容室Ｒに収容する薬剤を除湿剤、除菌剤、消臭剤のうちから選択的に収容可能に構成した例を示す。
【００３２】
尚、図４では左右のケース本体３０内を２つの区画壁３６で、それぞれ上から第１収容室Ｒ１、第２収容室Ｒ２、第３収容室Ｒ３の三つの収容室Ｒに区画し、各収容室Ｒにそれぞれ三種類の薬剤を嵌合させる如く構成となっている。即ち、第１収容室Ｒ１には除湿剤を、第２収容室Ｒ２には除菌剤を、第３収容室Ｒ３には消臭剤をそれぞれ収容する如く構成しているが、これに限られるものではなく、収容室Ｒの数は必要に応じて選択することができ２つでも４つ以上でも可能である。
【００３３】
また、使用方法としても、必ずしも収容室Ｒの数だけ嵌合する場合に限らず必要に応じて収容装着することができる。また、その収容薬剤の内容も必要に応じて選択でき、左右同じでなく相違するものを装着しても良く、この場合も必要に応じて適宜選択することができる。その他の構成は図１の例と同様であるため、同符号を付して説明を省略する。
【符号の説明】
【００３４】
１：靴用クリップ
Ａ：クリップ本体
１０…基板
１０ａ…左基板、１０ｂ…右基板
１１…頂壁
１２…横壁
２０：薬剤ケース
２０ａ…左薬剤ケース、２０ｂ…右薬剤ケース
３０…ケース本体
３１…第１周壁、３２…第１閉塞壁、３４…第１ヒンジ形成片、３５…係止壁、
３６…区画壁
４０…蓋体
４１…ヒンジ、４２…第２周壁、４３…第２閉塞壁、４４…第２ヒンジ形成片、
４５…指掛け用の突部
５０…靴
５０ａ…右足用靴部、５０ｂ…左足用靴部
５１…開口
ｈ…通気孔
Ｒ…収容室
Ｒ１…第１収容室、Ｒ２…第２収容室、Ｒ３…第３収容室
【図１】
0005865652.tif 000002
【図２】
0005865652.tif 000003
【図３】
0005865652.tif 000004
【図４】
0005865652.tif 000005